(57)【要約】【課題】投影面に投影されるフラット光束を除去すること。【解決手段】プロジェクタは、照明光束を出射する光源装置と、照明光束を変調するミラー素子を有する変調素子と、照明光束を変調素子に照射する照明光学系と、変調素子により変調された光束を投影面に投影する投影光学系と、照明光学系内に配置され、照明光束の周縁の一部から内側部分を遮光する遮光部材と、照明光束が変調素子が有するミラー素子近傍の部分によって反射された反射光束のうち、投影光学系を通過して投影面に投影される部分に相当する、照明光束の部分が遮光されるように、遮光部材を調整する遮光部材調整手段と、を備える。【選択図】図２
2014215527.tif 000002
【特許請求の範囲】
【請求項１】
照明光束を出射する光源装置と、
前記照明光束を変調するミラー素子を有する変調素子と、
前記照明光束を前記変調素子に照射する照明光学系と、
前記変調素子により変調された光束を投影面に投影する投影光学系と、
前記照明光学系内に配置され、前記照明光束の周縁の一部から内側部分を遮光する遮光部材と、
前記照明光束が前記変調素子が有するミラー素子近傍の部分によって反射された反射光束のうち、前記投影光学系を通過して前記投影面に投影される部分に相当する、前記照明光束の部分が遮光されるように、前記遮光部材を調整する遮光部材調整手段と、
を備えることを特徴とするプロジェクタ。
【請求項２】
請求項１に記載のプロジェクタにおいて、
前記変調素子の位置および傾きの少なくとも一方を調整する変調素子調整手段をさらに備えることを特徴とするプロジェクタ。
【請求項３】
請求項１または２に記載のプロジェクタにおいて、
前記遮光部材調整手段により前記遮光部材が調整された後、前記遮光部材を固定する固定手段をさらに備えることを特徴とするプロジェクタ。
【請求項４】
請求項１〜３のいずれか一項に記載のプロジェクタにおいて、
前記遮光部材は、前記変調素子を挟んで、前記投影光学系の絞りと共役な位置の近傍に配置されていることを特徴とするプロジェクタ。
【請求項５】
請求項４に記載のプロジェクタにおいて、
前記遮光部材は、前記照明光学系内において、前記照明光束が略平行光束である位置に配置されていることを特徴とするプロジェクタ。
【請求項６】
請求項１〜５のいずれか一項に記載のプロジェクタにおいて、
前記変調素子は、前記投影光学系の方向に前記照明光束を反射する第１状態と、前記投影光学系から外れる方向に前記照明光束を反射する第２状態とに切り替わる前記ミラー素子を有し、
前記遮光部材調整手段は、前記反射光束における、前記照明光束が前記第１状態の前記ミラー素子で反射された第１状態光束と重なる部分に相当する、前記照明光束の部分が遮光されるように、前記遮光部材を調整することを特徴とするプロジェクタ。
【請求項７】
請求項１〜６のいずれか一項に記載のプロジェクタにおいて、
前記変調素子は、前記投影光学系の方向に前記照明光束を反射する第１状態と、前記投影光学系から外れる方向に前記照明光束を反射する第２状態とに切り替わる前記ミラー素子を有し、
前記遮光部材は、前記照明光束が前記第１状態の前記ミラー素子で反射された第１状態光束の中心と前記反射光束の中心とを結んだ第１の軸に対応する第２の軸に沿って、前記照明光束の周縁の一部から内側に突出しており、
前記遮光部材調整手段は、前記第２の軸に沿って、前記遮光部材の突出量を調整することを特徴とするプロジェクタ。
【請求項８】
請求項１〜７のいずれか一項に記載のプロジェクタにおいて、
前記遮光部材は、前記光源装置側の面が光を反射する反射面であることを特徴とするプロジェクタ。
【請求項９】
請求項１〜８のいずれか一項に記載のプロジェクタにおいて、
前記投影光学系は、少なくとも１枚の自由曲面レンズを含むことを特徴とするプロジェクタ。
【請求項１０】
請求項８に記載のプロジェクタにおいて、
前記遮光部材の近傍に配置された光学部材の少なくとも１つが、プラスチック材料で構成されていることを特徴とするプロジェクタ。
【請求項１１】
請求項１〜１０のいずれか一項に記載のプロジェクタにおいて、
前記遮光部材は、前記変調素子側の面が光を吸収する吸収面であることを特徴とするプロジェクタ。
【発明の詳細な説明】
【技術分野】
【０００１】
本発明は、プロジェクタに関する。
【背景技術】
【０００２】
ＤＭＤ（Digital Mirror Device）と呼ばれる反射型表示素子を利用したプロジェクタが知られている。ＤＭＤは、複数設けられた微小なミラーセルの傾き方向を切換えることにより、ＤＭＤに入射した照明光束を、投影レンズの方向に反射するオン状態光束と、投影レンズから外れる方向に反射するオフ状態光束とに区分けして、投影面に画像を投影する。
【０００３】
このようなプロジェクタでは、ＤＭＤに入射した照明光束の一部が、ＤＭＤを保護するためのカバーガラスやミラーセル周辺部分などのフラット部分で反射されてフラット光束が発生する。このフラット光束の一部が投影レンズを通過して投影面に投影されると、投影像にフラット光束によるゴーストが発生してしまう。そこで、このようなゴーストの発生を防止するため、投影レンズの絞りに、投影面に投影されるフラット光束を遮光するための膨出部を設けたプロジェクタが提案されている（特許文献１参照）。
【先行技術文献】
【特許文献】
【０００４】
【特許文献１】特許第４９５２９７０号公報
【発明の概要】
【発明が解決しようとする課題】
【０００５】
投影像の画質の調整のために投影レンズに対するＤＭＤの位置や傾きの調整が必要なプロジェクタがある。このようなプロジェクタでは、このＤＭＤの調整の結果によってフラット光束の出方が変化してしまうため、従来のように固定された膨出部では、投影面に投影されるフラット光束を除去できない場合があった。
【課題を解決するための手段】
【０００６】
本発明によるプロジェクタは、照明光束を出射する光源装置と、照明光束を変調するミラー素子を有する変調素子と、照明光束を変調素子に照射する照明光学系と、変調素子により変調された光束を投影面に投影する投影光学系と、照明光学系内に配置され、照明光束の周縁の一部から内側部分を遮光する遮光部材と、照明光束が変調素子が有するミラー素子近傍の部分によって反射された反射光束のうち、投影光学系を通過して投影面に投影される部分に相当する、照明光束の部分が遮光されるように、遮光部材を調整する遮光部材調整手段と、を備えることを特徴とする。
【発明の効果】
【０００７】
本発明によれば、投影面に投影されるフラット光束を除去することができる。
【図面の簡単な説明】
【０００８】
【図１】本発明の一実施の形態によるプロジェクタの外観例を説明する図である。
【図２】投影ユニットの構成例を説明する図である。
【図３】オン状態光束、オフ状態光束およびフラット光束を説明する図である。
【図４】（ａ）はオン状態光束の光路を示す図であり、（ｂ）はフラット光束の光路を示す図である。
【図５】（ａ）は投影絞りにおけるオン状態光束およびフラット光束を説明する図であり、（ｂ）は照明絞り近傍における照明光束を説明する図である。
【発明を実施するための形態】
【０００９】
以下、図面を参照して、本発明による一実施の形態について説明する。図１は、本実施形態に係るプロジェクタ１の外観例を説明する図である。プロジェクタ１は、金属やプラスチックからなる筐体２を備え、この筐体２の前面には、筐体２に内蔵された投影ユニット３（図２）の投影窓４が設けられている。また、プロジェクタ１の上面には、電源スイッチ５と、各種機能の設定や投影画像のピント調整等を行うための操作部６とが設けられている。なお、筐体２の背面には各種入力端子や冷却風の通気口等が設けられている。また、画像の投影を行う場合には、装置本体（筐体２）が載置面Ｇ上に載置されている状態において、載置面Ｇに平行な投影面Ｈに対し投影する。
【００１０】
本実施形態のプロジェクタ１では、投影レンズ７（図２）に少なくとも１枚以上の自由曲面レンズを利用することで、載置面Ｇに平行な投影面Ｈに対して投影が可能な超短焦点のプロジェクタを実現している。このような自由曲面レンズを含む投影レンズ７としては、たとえば、特開２０１２−１４１２６号公報で開示されている構成を用いればよい。特開２０１２−１４１２６号公報で開示されているように、自由曲面レンズを有する投影レンズ７の構成は複雑であり、投影レンズ７内での種々の調整が難しい。そこで、このように投影レンズ７の構成が複雑なプロジェクタ１では、工場でプロジェクタ１を組み立てた後に、投影像の歪曲や解像などの画質が最適になるよう、投影レンズ７に対するＤＭＤ８の位置や傾きを調整するようになっている。
【００１１】
図２は、プロジェクタ１の投影ユニット３の構成を説明する図である。以下に説明する図面においては、図示を簡略化するために、球面レンズからなる投影レンズ７を記載している。しかしながら、本実施形態のプロジェクタ１では、実際には、上述したように少なくとも１枚以上の自由曲面レンズを含む投影レンズ７が設けられている。
【００１２】
投影ユニット３は、照明光束を出射する光源装置９と、光源装置９からの照明光束をＤＭＤ８に照射する照明光学系１０と、照射された照明光束を変調する反射型表示素子であるＤＭＤ８と、ＤＭＤ８で変調された光束の像を投影面（スクリーン等）に拡大投影する投影光学系１１と、を有する。
【００１３】
光源装置９は、赤色成分の光を出射する第１光源１２と、緑色成分の光を出射する第２光源１３と、青色成分の光を出射する第３光源１４と、第１ダイクロイックミラー１５と、第２ダイクロイックミラー１６と、を有する。第１ダイクロイックミラー１５は、赤色成分の光を反射し、それよりも波長の短い光を透過させる。第２ダイクロイックミラー１６は、青色成分の光を反射し、それよりも波長の長い光を透過させる。第１ダイクロイックミラー１５および第２ダイクロイックミラー１６は交差されて配置されている。
【００１４】
第１光源１２から出射された赤色成分の光は、第１ダイクロイックミラー１５で反射され、第２ダイクロイックミラー１６を透過する。第２光源１３から出射された緑色成分の光は、第１ダイクロイックミラー１５および第２ダイクロイックミラー１６を透過する。第３光源１４から出射された青色成分の光は、第１ダイクロイックミラー１５を透過し、第２ダイクロイックミラー１６で反射される。これにより、赤色成分、緑色成分および青色成分の３色の照明光束を同じ光路上へ導くことができる。
【００１５】
照明光学系１０は、光源装置９とＤＭＤ８との間に配置されている。照明光学系１０は、光源装置９側から順に、集光光学系１７と、第１反射鏡１８と、マイクロレンズアレイ１９と、照明絞り２０と、第１コンデンサレンズ２１と、第２反射鏡２２と、第２コンデンサレンズ２３と、ＴＩＲ（内部全反射）プリズム２４と、を有する。投影光学系１１は、照明光学系１０とＴＩＲプリズム２４を共用し、ＤＭＤ８側から順に、ＴＩＲプリズム２４と、投影レンズ７とを有する。投影レンズ７には、投影絞り２５が設けられている。
【００１６】
集光光学系１７は、第１光源１２、第２光源１３、第３光源１４の前にそれぞれ設けられた集光レンズ１７ａと、第１ダイクロイックミラー１５および第２ダイクロイックミラー１６と第１反射鏡１８との間に設けられた集光レンズ１７ｂとで構成される。第１光源１２、第２光源１３、第３光源１４から出射された照明光束は、集光光学系１７によって略平行光束に変換され、第１反射鏡１８を介してマイクロレンズアレイ１９に入射する。
【００１７】
マイクロレンズアレイ１９は、複数の単位レンズが、それらの入射面および射出面の各々において、各面の頂点が同一平面上に配置されて構成されている。また、この単位レンズは、その両面の曲率半径の絶対値が等しく、これらの面の頂点がそれぞれ反対側の面から平行光を入射させたときの焦点となっている。そのため、照明光学系１０において、第１〜第３光源１２〜１４とマイクロレンズアレイ１９の射出面とが共役な関係である。マイクロレンズアレイ１９の射出面には、照明絞り２０が配置されている。このマイクロレンズアレイ１９は、照明光束の断面（瞳）を複数の領域に分割する光分割素子としての機能を有している。
【００１８】
第１コンデンサレンズ２１および第２コンデンサレンズ２３は、マイクロレンズアレイ１９を構成する各単位レンズの入射面の像を、ＤＭＤ８上に重ね合わせて投影する重畳光学系の機能を有している。たとえば、第１〜第３光源１２〜１４としてＬＥＤを用いた場合、第１〜第３光源１２〜１４の放射角度特性により中心が明るく周辺が暗く照明されるが、上述の照明光学系１０では、マイクロレンズアレイ１９の各単位レンズの入射面の像が重畳的にＤＭＤ８に投影されるため、ＤＭＤ８全体での照度の均一性が向上する。
【００１９】
ＴＩＲプリズム２４は、２つの三角プリズムが組み合わされて構成されており、第２コンデンサレンズ２３を通って入射した照明光束を内部で全反射させてＤＭＤ８に導くと共に、ＤＭＤ８で反射された照明光束を透過させて投影レンズ７へ導く。ＤＭＤ８で反射された照明光束の像は、投影レンズ７により実像として投影面に拡大投影される。
【００２０】
ＤＭＤ８には、上述したように、投影像の歪曲や解像等の画質が最適になるように、投影レンズ７に対するＤＭＤ８の位置および傾きを調整するためのＤＭＤ調整機構２６が設けられている。なお、ＤＭＤ調整機構２６は、機械的な機構でよい。
【００２１】
マイクロレンズアレイ１９の入射面の近傍には、後述するフラット光束を遮光するための遮光部材２７が設けられている。遮光部材２７には、遮光部材２７の突出量を適切に調整するための遮光部材調整機構２８が設けられている。なお、遮光部材２７および遮光部材調整機構２８について、詳しくは後述する。
【００２２】
ＤＭＤ８の表面には、可動式の微小なミラーセルが格子状に多数配列されている。１つのミラーセルが１画素を構成する。各ミラーセルは、フラット状態から一方向およびその逆方向に所定角度（たとえば±１０度）傾くように設けられている。各ミラーセルは、その下部に設けられた電極が駆動されることで、一方向に所定角度傾いて、投影レンズ７の方向に照明光束を反射するオン状態と、逆方向に所定角度傾いて、投影レンズ７から外れる方向に照明光束を反射するオフ状態とに切り替えられる。ミラーセルの振れ角から最適な照明光束のＦナンバーが算出され、そのＦナンバーの範囲内では、図３に示すように、照明光束がオン状態のミラーセルで反射されたオン状態光束Ｐとオフ状態のミラーセルで反射されたオフ状態光束Ｑとが重ならないようになっている。
【００２３】
また、ＤＭＤ８では、オン状態光束Ｐおよびオフ状態光束Ｑの他に、フラット光束Ｒが発生する。フラット光束Ｒは、ＤＭＤ８に入射した照明光束の一部が、ＤＭＤ８を保護するためのカバーガラス（不図示）やミラーセル周辺部分などのＤＭＤ８近傍のフラット部分（ＤＭＤ８のフラット状態と平行な部分）で反射された光である。図３に示すように、フラット光束Ｒは、オン状態光束Ｐおよびオフ状態光束Ｑに近接して形成される。ＤＭＤ８に入射する照明光束が上記最適なＦナンバーの範囲内であれば、オン状態光束Ｐとフラット光束Ｒとが重ならないようになっている。しかし、より明るくするためにＤＭＤ８に入射する照明光束のＦナンバーを小さくすると、各光束の広がりが大きくなるため、フラット光束Ｒの一部がオン状態光束Ｐとオフ状態光束Ｑに重なる。オフ状態光束Ｑと重なる部分については、オフ状態光束Ｑと同様にと投影レンズ７から外れる方向に向かうので問題とならないが、オン状態光束Ｐと重なる部分については問題となる。
【００２４】
具体的に、オン状態光束Ｐは、図４（ａ）に示すように、ＴＩＲプリズム２４、投影レンズ７および投影絞り２５を通過して投影面に投影される。一方、フラット光束Ｒは、図４（ｂ）に示すように、その大部分は投影レンズ７から外れたり投影絞り２５で遮断されたりして投影絞り２５を通過しないが、オン状態光束Ｐと重なる部分については、投影絞り２５を通過して投影面に投影されてしまう。この投影面に投影されるフラット光束Ｒにより、投影像にゴーストが発生し、投影像の品質が劣化してしまう。
【００２５】
そこで、本実施形態のプロジェクタ１では、投影面に投影されるフラット光束Ｒを遮光するための遮光部材２７が設けられている。図２に示したように、遮光部材２７は、マイクロレンズアレイ１９の入射面の近傍に配置されている。すなわち、遮光部材２７は、マイクロレンズアレイ１９の射出面に設けられた照明絞り２０の近傍に配置されている。照明絞り２０は、ＤＭＤ８を挟んで投影絞り２５と共役な位置にあるため、遮光部材２７は、ＤＭＤ８を挟んで投影絞り２５と共役な位置の近傍に配置されているといえる。また、遮光部材２７は、第１反射鏡１８とマイクロレンズアレイ１９との間に配置されているため、集光光学系１７によって略平行光束に変換された照明光束において、その一部を遮光するようになっている。
【００２６】
図５（ａ）は、投影絞り２５におけるオン状態光束Ｐとフラット光束Ｒの範囲を説明する図である。上述したように、フラット光束Ｒにおいてオン状態光束Ｐと重ならない部分（図５（ａ）の点線部分）については、投影絞り２５で遮断されたり投影レンズ７から外れたりして投影絞り２５を通過しない。しかしながら、フラット光束Ｒにおいてオン状態光束Ｐと重なる部分（図５（ａ）の斜線部分）については、オン状態光束Ｐと共にフラット光束Ｒについても投影絞り２５を通過して、投影面に投影されてしまう。
【００２７】
そこで、図５（ｂ）に示すように、遮光部材２７は、照明絞り２０の近傍で、フラット光束Ｒにおいてオン状態光束Ｐと重なる部分（すなわち投影絞り２５を通過する部分）に相当する、照明光束Ｓの部分を遮光するように配置される。具体的に、投影絞り２５において、フラット光束Ｒのオン状態光束Ｐと重なる部分は、オン状態光束Ｐの光軸中心Ｏｐとフラット光束Ｒの光軸中心Ｏｒとを結んだ軸Ｘに沿って、オン状態光束Ｐの周縁の一部から内側に突出する部分である。そのため、遮光部材２７は、照明絞り２０の近傍において、軸Ｘに相当する軸Ｘ’の方向に沿って、照明光束Ｓの周縁の一部から内側に突出するように配置される。
【００２８】
また、本実施形態のプロジェクタ１では、上述したように、工場でプロジェクタ１を組み立てた後に、投影像の歪曲や解像等の画質が最適になるよう、投影レンズ７に対するＤＭＤ８の位置や傾きを調整する。この調整の結果、投影レンズ７の光軸に対する、フラット光束Ｒの光軸がずれてしまうため、投影絞り２５におけるフラット光束Ｒの位置が変化する。そのため、遮光部材２７には、このＤＭＤ８の位置および傾きの調整後に遮光部材２７の突出量を適切に調整するための遮光部材調整機構２８が設けられている。遮光部材調整機構２８は、上述した軸Ｘ’に沿って遮光部材２７を移動させて、遮光部材２７の突出量を調整する。なお、遮光部材調整機構２８は、機械的な機構でよい。
【００２９】
遮光部材２７の形状は、図５（ｂ）に示したように、照明光束Ｓの断面を直線的に切り欠くような形状であってもよいし、内側に凸の円弧状に切り欠くような形状であってもよい。遮光部材２７が円弧状である場合は、その曲率半径が、遮光部材２７の位置において、ＤＭＤ８を経て投影レンズ７を透過し投影絞り２５を通過できる光束に対応する、照明光束Ｓの範囲の曲率半径と等しくなるのが望ましい。
【００３０】
また、光源装置９から出射される照明光束の強度が強い場合、遮光部材２７の光源装置９側の面が光を吸収する吸収面であると、遮光部材２７付近で発熱が生じてしまい、その近傍に配置されているレンズ（例えばマイクロレンズアレイ１９など）の結像性能に影響が出てしまう。具体的には、１００〜１５０ルーメン程度を超える強さのプロジェクタになると、発熱が無視できなくなってくる。特に遮光部材２７の近傍に配置されているレンズ（例えばマイクロレンズアレイ１９など）の材質がプラスチックである場合に問題となる。そこで、本実施形態において、遮光部材２７の光源装置９側の面は光を反射する反射面となっている。これにより、遮光部材２７付近の発熱が抑えられるので、遮光部材２７の近傍に配置されているレンズの材質としてプラスチックを用いることができ、且つ結像性能の劣化を防ぐことができる。本実施形態では、たとえばマイクロレンズアレイ１９がプラスチック材で構成されている。
【００３１】
また、本実施形態において、遮光部材２７のＤＭＤ８側の面は、光吸収性の遮光面となっている。これにより、投影像にゴーストやフレアが発生するのを防止することができる。さらに、照明絞り２０が光吸収性の遮光部材であってもよい。これにより、フラット光束によるゴースト以外の迷光を除去することができる。
【００３２】
以上のようなプロジェクタ１では、製品出荷前に工場でプロジェクタ１を組み立てた後、ＤＭＤ調整機構２６によって、投影レンズ７に対するＤＭＤ８の位置および傾きの少なくとも一方を調整する。具体的には、実際に投影面に投影像を投影しながら、ＤＭＤ８の位置および傾きを変化させ、投影像の解像や歪曲等の画質が最も良くなる位置および傾きでＤＭＤ８を固定する。
【００３３】
次に、遮光部材調整機構２８によって、遮光部材２７の突出量を調整する。具体的には、実際に投影面に投影像を投影し、投影像中に表れるゴーストの出方を観察しながら、遮光部材２７の突出量を調整し、ゴーストが消える、あるいは気にならないレベルになった突出量で遮光部材２７を固定する。なお、遮光部材２７の固定手段としては、接着剤などで遮光部材調整機構２８を動かないように固定してもよいし、遮光部材調整機構２８を機械的に固定するようなロック機構を設けてもよい。また、ユーザが遮光部材調整機構２８に触れないように、遮光部材調整機構２８を筐体２の外にさらさないように構成する。
【００３４】
上記調整の結果、ＤＭＤ８の位置および傾きが調整されて投影像の画質が最適となり、且つ遮光部材２７の突出量が調整されて投影面に投影されるフラット光束が適切に除去された状態で、プロジェクタ１を製品として出荷することができる。
【００３５】
以上説明した実施の形態によれば、次の作用効果が得られる。
（１）プロジェクタ１は、照明光学系１０内に配置され、照明光束の周縁の一部から内側部分を遮光する遮光部材２７を備え、遮光部材調整機構２８は、フラット光束において投影レンズ７を通過して投影面に投影される部分に相当する、照明光束の部分が遮光されるように、遮光部材２７を調整するようにした。これにより、投影像の画質の調整のためにＤＭＤ８の位置や傾きの調整が必要なプロジェクタ（自由曲面レンズを含む投影レンズ７を用いたプロジェクタ１）においても、遮光部材２７を適切に調整して、投影面に投影されるフラット光束を除去することができ、ゴーストの発生を防ぐことができる。特にＤＭＤ８を傾けると、これに伴って投影面に投影されるフラット光束の量が多くなりゴーストが大きく発生する場合があるが、このような場合でも、投影面に投影されるフラット光束を適切に除去することができる。また、上述した従来技術のように、投影レンズの絞りに、投影面に投影されるフラット光束を遮光するための膨出部を設けた場合には、ＤＭＤ８の位置や傾きの調整後にこの膨出部を調整する方法も考えられる。しかしながら、この場合、投影レンズの絞りに設けた膨出部を調整する機構のために投影レンズが大型化したり、設計の制限が生じたりしてしまうため、最適な手法とはいえない。また、自由曲面レンズを含む投影レンズ７の構成は、上述した特開２０１２−１４１２６号公報で開示されているように複雑であり、厳しい精度が求められるため、膨出部の調整機構を配置するのは非常に難しい。これに対して、本実施形態では、照明光学系１０内に遮光部材２７を配置するようにしたので、遮光部材調整機構２８のために投影レンズ７が大型化したり設計の制限が生じたりすることはなく、また、遮光部材調整機構２８の設置も容易となる。
【００３６】
（２）上記（１）のプロジェクタ１において、遮光部材２７は、照明光学系１０内の、ＤＭＤ８を挟んで、投影絞り２５と共役な位置（照明絞り２０）の近傍に配置されているようにした。これにより、投影絞り２５を通過するフラット光束を適切に除去することができる。
【００３７】
（３）上記（２）のプロジェクタ１において、遮光部材２７は、照明光学系１０内において、照明光束が略平行光束である位置（集光レンズ１７ｂとマイクロレンズアレイ１９との間）に配置されているようにした。このように、投影絞り２５と共役な位置の近傍で照明光束が略平行光束である範囲は、投影絞り２５と共役な範囲であり、ある程度の幅を持っているため、遮光部材２７を配置する位置の制約が緩くなり、遮光部材調整機構２８の設置が容易となる。
【００３８】
（４）上記（１）〜（３）のプロジェクタ１において、遮光部材２７は、光源装置９側の面が光を反射する反射面であるようにした。これにより、遮光部材２７付近の発熱が抑えられるので、遮光部材２７の近傍に配置されているレンズの材質としてプラスチックを用いることができる。
【００３９】
（５）上記（１）〜（４）のプロジェクタ１において、遮光部材２７は、ＤＭＤ８側の面が光を吸収する吸収面であるようにした。これにより、投影像にゴーストやフレアが発生するのを防止することができる。
【００４０】
（変形例１）
上述した実施の形態では、遮光部材２７をマイクロレンズアレイ１９の入射面側に配置するようにしたが、マイクロレンズアレイ１９の射出面側に配置してもよい。
【００４１】
（変形例２）
上述した実施の形態では、マイクロレンズアレイ１９を用いたプロジェクタ１の例を説明したが、ロッドレンズを用いたプロジェクタに本発明を適用するようにしてもよい。
【００４２】
（変形例３）
投影ユニット３は、上述した実施の形態の構成に限定しなくてもよい。たとえば、第１反射鏡１８および第２反射鏡２２は、照明光学系１０の光路を折り曲げて全体をコンパクトにするためのものであるため、無くてもよいし、他の位置に配置してもよい。また、ＴＩＲプリズム２４を透過した照明光束をＤＭＤ８に照射し、このＤＭＤ８で反射した光をＴＩＲプリズム２４で反射させて投影レンズ７に導くようにしてもよい。
【００４３】
以上の説明はあくまで一例であり、上記の実施形態の構成に何ら限定されるものではない。また、上記実施形態に各変形例の構成を適宜組み合わせてもかまわない。
【符号の説明】
【００４４】
１…プロジェクタ、７…投影レンズ、８…ＤＭＤ、９…光源装置、１０…照明光学系、２０…照明絞り、２５…投影絞り、２６…ＤＭＤ調整機構、２７…遮光部材、２８…遮光部材調整機構
【図１】
2014215527.tif 000003
【図２】
2014215527.tif 000004
【図３】
2014215527.tif 000005
【図４】
2014215527.tif 000006
【図５】
2014215527.tif 000007